(57)【要約】  本発明は、二つ以上の電池セルが互いに電気的に連結された状態でセルカバーに装着され、電池セルの電極端子連結部が垂直に折り曲げられた状態でセルカバーの外部に突出している単位モジュールが二つ以上積層されている単位モジュール積層体；前記単位モジュール積層体の単位モジュールが互いに直列連結のための配列に装着され、単位モジュールの電極端子部位を開放しているモジュールケース；前記モジュールケースにおいて単位モジュールの電極端子部位に装着され、単位モジュールの直列連結のための一つ以上のバスバーが外部での熔接ができるように露出された状態で装着されているバスバーアセンブリー；及び前記バスバーアセンブリーを包む電気絶縁性のカバー；を含むことを特徴とする電池モジュールを提供する。
2016509747.tif 000002
【特許請求の範囲】
【請求項１】
二つ以上の電池セルが互いに電気的に連結された状態でセルカバーに装着され、電池セルの電極端子連結部が垂直に折り曲げられた状態でセルカバーの外部に突出している単位モジュールが二つ以上積層されている単位モジュール積層体；
前記単位モジュール積層体の単位モジュールが互いに直列連結のための配列に装着されており、単位モジュールの電極端子部位を開放しているモジュールケース；
前記モジュールケースにおいて単位モジュールの電極端子部位に装着され、単位モジュールの直列連結のための一つ以上のバスバーが外部での熔接ができるように露出された状態で装着されているバスバーアセンブリー；及び
前記バスバーアセンブリーを包む電気絶縁性のカバー；
を含むことを特徴とする、電池モジュール。
【請求項２】
前記電池セルは互いに並列に連結されることを特徴とする、請求項１に記載の電池モジュール。
【請求項３】
前記電池セルは板状型電池セルであることを特徴とする、請求項１に記載の電池モジュール。
【請求項４】
前記電池セルはラミネート電池ケースに電極組立体が内蔵された構造であることを特徴とする、請求項３に記載の電池モジュール。
【請求項５】
前記単位モジュールの電池セルは電極端子が直接結合された状態で並列に連結されており、電極端子連結部はバスバーアセンブリーのバスバーに接触する熔接面を提供するように垂直に折り曲げられていることを特徴とする、請求項１に記載の電池モジュール。
【請求項６】
前記電池セルは陽極端子と陰極端子とが一側端部に一緒に形成された構造になっており、前記単位モジュールは互いに隣接した単位モジュールの間で陽極端子と陰極端子とが隣接するように交互に配列された状態で積層されていることを特徴とする、請求項１に記載の電池モジュール。
【請求項７】
前記モジュールケースは単位モジュール積層体の外周面を包むフレーム構造であることを特徴とする、請求項１に記載の電池モジュール。
【請求項８】
前記モジュールケースの外面には、デバイスまたはパックケースに電池モジュールを装着するための一つ以上の結合部が形成されていることを特徴とする、請求項１に記載の電池モジュール。
【請求項９】
前記結合部は上下方向にモジュールケースの外面から突出し、その上下中心軸に沿って湾入型溝が形成された構造であることを特徴とする、請求項８に記載の電池モジュール。
【請求項１０】
前記バスバーアセンブリーは、モジュールケースに装着され、電気絶縁性を持つ長方形のアセンブリー本体；及び前記長方形の本体に前面と後面が開放された状態で装着されている一つ以上のバスバー；を含んでいることを特徴とする、請求項１に記載の電池モジュール。
【請求項１１】
前記バスバーアセンブリーは多数のバスバーを含み、前記バスバーは両側端部がアセンブリー本体に結合される金属板材であることを特徴とする、請求項１０に記載の電池モジュール。
【請求項１２】
前記バスバーの一側端部には電圧検出のための検出用端子が備えられていることを特徴とする、請求項１１に記載の電池モジュール。
【請求項１３】
前記バスバーの中で外部入出力端子をなすバスバーは、一側端部が伸びた状態でアセンブリー本体上に結合されている外部入出力端子部を含んでいることを特徴とする、請求項１１に記載の電池モジュール。
【請求項１４】
前記外部入出力端子部はボルトによってアセンブリー本体上に結合されていることを特徴とする、請求項１３に記載の電池モジュール。
【請求項１５】
前記ボルトはモジュールケースにも結合されていることを特徴とする、請求項１４に記載の電池モジュール。
【請求項１６】
前記電極端子連結部に対するバスバーの電気的連結は、バスバーの外面に対して熔接を行うことでなされることを特徴とする、請求項１に記載の電池モジュール。
【請求項１７】
前記熔接は、バスバーの外面にレーザーを照射することでなされることを特徴とする、請求項１６に記載の電池モジュール。
【請求項１８】
前記バスバーアセンブリーの両側端部に締結具が突設され、前記モジュールケースには前記締結具に対応する締結溝が形成されていることを特徴とする、請求項１に記載の電池モジュール。
【請求項１９】
前記カバーの両側端部に締結具が突設され、前記バスバーアセンブリーには前記締結具に対応する締結溝が形成されていることを特徴とする、請求項１に記載の電池モジュール。
【請求項２０】
請求項１〜１９のいずれか一項の電池モジュールが二つ以上パックケースに装着されていることを特徴とする、電池パック。
【請求項２１】
請求項１の電池モジュールまたは請求項１０の電池パックを電源として使うことを特徴とする、デバイス。
【請求項２２】
前記デバイスは、電気自動車、ハイブリッド電気自動車、プラグインハイブリッド電気自動車、または電力貯蔵装置であることを特徴とする、請求項２１に記載のデバイス。
【発明の詳細な説明】
【技術分野】
【０００１】
本発明は構造的安全性に優れた電池モジュール及びこれを含む電池パックに関するものであり、より具体的には、二つ以上の電池セルが互いに電気的に連結された状態でセルカバーに装着され、電池セルの電極端子連結部が垂直に折り曲げられた状態でセルカバーの外部に突出している単位モジュールが二つ以上積層されている単位モジュール積層体と、前記単位モジュール積層体の単位モジュールが互いに直列連結のための配列に装着され、単位モジュールの電極端子部位を開放しているモジュールケース、前記モジュールケースにおいて単位モジュールの電極端子部位に装着され、単位モジュールの直列連結のための一つ以上のバスバーが外部での熔接ができるように露出された状態で装着されているバスバーアセンブリー、及び前記バスバーアセンブリーを包む電気絶縁性のカバーを含むことを特徴とする電池モジュールに関する。
【背景技術】
【０００２】
近年、充放電可能な二次電池はワイヤレスモバイル器機のエネルギー源として幅広く使われている。また、二次電池は、化石燃料を使う既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
小型モバイル器機にはデバイス１台当たり一つないし四つの電池セルが使われるのに対し、自動車などの中大型デバイスでは、高出力かつ大容量の必要性によって、多数の電池セルを電気的に連結した中大型電池モジュールが使われる。
【０００４】
中大型電池モジュールはできれば小さなサイズ及び重量に製造されることが好ましいので、高集積度で充積が可能であって容量に比べて重量が小さな角形電池、パウチ型電池などが中大型電池モジュールの電池セルとして主に使われている。特に、アルミニウムラミネートシートなどを外装部材として使用するパウチ型電池は、重量が小さくて製造コストが低いなどの利点によって最近多くの関心を集めている。
【０００５】
しかし、前記外装部材そのものは機械的剛性が優れていないので、安定した構造の電池モジュールを製造するために、一般的に電池セル（単位電池）をカートリッジなどのパックケースに装着して電池モジュールを製造している。しかし、中大型電池モジュールが装着される装置または車両などには一般的に装着空間が限定的なので、カートリッジのようなパックケースの使用によって電池モジュールのサイズが大きくなる場合には低い空間活用度の問題点がもたらされる。また、電池セルの低い機械的剛性は充放電時に電池セルの反復的な膨脹及び収縮として現れ、それによって熱融着部位が分離される場合ももたらされる。
【０００６】
したがって、このような問題点を解決するために、本出願人は、大韓民国特許出願第２００６−４５４４４号に、電極端子が上端及び下端にそれぞれ形成されている板状型電池セルを含んでいる電池モジュールであって、電極端子が直列に互いに連結され、前記電極端子の連結部が折り曲げられて積層構造を成している二つまたはそれ以上の電池セル、及び前記電極端子部位を除き電池セル積層体の外面全体を包むように互いに結合される一対の高強度セルカバーからなる電池モジュールを提示したことがある。
【０００７】
上記の技術によれば、電池モジュールを組み立てる過程で、二つのパウチ型電池セルをその電極端子が連続的に隣り合うように長手方向に直列に配列した状態で前記電極端子を超音波熔接で互いに結合させる。その後、電極端子が結合された二つの電池セルを互いに見合うように重畳して電池セル積層体を形成した後、セルカバーを装着して単位電池モジュールを製造し、電極端子を接続させることで、中大型電池モジュールを製造する。
【０００８】
しかし、前述したように、単位電池モジュール間の電極端子及び電極端子または電極端子と電極タブを連結する過程で、電池モジュールをパックハウジングに装着するのに先立ち、一般的に超音波熔接で電極端子と電極タブの熔接を遂行して電極端子を連結した後、パックハウジングに装着することになる。よって、組立て過程が複雑であるだけでなく、組立て過程で発生する衝撃が電極端子などに伝達されて内部短絡が発生することができる問題点がある。
【０００９】
また、電池モジュールの陽極電極端子と陰極電極端子は互いに異なる素材からなっているので、それらを互いに熔接するとき、端子間の熔接結合力が低下する傾向があり、このように製造された中大型電池モジュールは振動及び衝撃などの外力の印加時に熔接部位が分離されて短絡が発生することができる問題点がある。
【００１０】
したがって、前記のような問題点を解決するとともに中大型電池パックの組立てが容易であり、熔接信頼性を向上させて安全性を根本的に担保することができる技術に対する必要性が非常に高いという実情がある。
【先行技術文献】
【特許文献】
【００１１】
【特許文献１】大韓民国特許出願第２００６−４５４４４号
【発明の概要】
【発明が解決しようとする課題】
【００１２】
本発明は前記のような従来技術の問題点と過去からあった技術的課題を解決することを目的とする。
【００１３】
具体的に、本発明の目的は、高容量のために並列に連結された電池セルを特定の構造及び配列にして電池モジュールを構成し、特定のバスバーアセンブリーを用いて直列に連結することで、全体としてコンパクトで安定し、組立てが容易であるだけでなく、製造過程で必要によって多様な電池セルを選択して構成することができる電池モジュール及びこれを含む電池パックを提供することである。
【課題を解決するための手段】
【００１４】
このような目的を達成するための本発明による電池モジュールは、
二つ以上の電池セルが互いに電気的に連結された状態でセルカバーに装着され、電池セルの電極端子連結部が垂直に折り曲げられた状態でセルカバーの外部に突出している単位モジュールが二つ以上積層されている単位モジュール積層体；
前記単位モジュール積層体の単位モジュールが互いに直列連結のための配列に装着され、単位モジュールの電極端子部位を開放しているモジュールケース；
前記モジュールケースにおいて単位モジュールの電極端子部位に装着され、単位モジュールの直列連結のための一つ以上のバスバーが外部での熔接ができるように露出された状態で装着されているバスバーアセンブリー；及び
前記バスバーアセンブリーを包む電気絶縁性のカバー；
を含む構造に構成されている。
【００１５】
したがって、本発明による電池モジュール及びこれを含む電池パックは、前述したような特定の構成によって、全体としてコンパクトで安定した構造を提供するとともに、組立てが容易であり、製造過程で必要によって多様な電池セルを選択して構成することができるという効果がある。
【００１６】
また、前記電池セルは互いに並列に連結された構造を提供し、同一素材間の熔接がなされるので、向上した熔接信頼性を提供する。
【００１７】
前記電池セルは限定された空間で高い積層率を提供するように好ましくは板状型電池セルであり、例えば、ラミネートシート電池ケースに電極組立体が内蔵されている構造にすることができる。
【００１８】
具体的には、電池セルは陽極／分離膜／陰極構造の電極組立体が電解液とともに電池ケースの内部に密封されているパウチ型二次電池であって、全体として幅に比べて厚さが小さい略直方体構造の板状型になっている。このようなパウチ型二次電池は一般的にパウチ型の電池ケースからなっており、前記電池ケースは耐久性に優れた高分子樹脂からなる外部被覆層；水分、空気などに対して遮断性を発揮する金属素材からなる遮断層；及び熱融着可能な高分子樹脂からなる内部シラント層が順次に積層されているラミネートシート状構造に構成されている。
【００１９】
好ましい一例において、前記単位モジュールの電池セルは電極端子が直接結合された状態で並列に連結されており、電極端子連結部はバスバーアセンブリーのバスバーに接触する熔接面を提供するように垂直に折り曲げられている構造にすることができる。
【００２０】
前記電池セルは、好ましくは、陽極端子と陰極端子とが一側端部に一緒に形成されている構造になっており、前記単位モジュールは互いに隣接した単位モジュールの間で陽極端子と陰極端子とが隣り合うように交互に配列された状態で積層されている構造にすることができる。
【００２１】
このような交互の配列は単位モジュール間の直列連結のために長い接続部材を使用する必要がないので、非常に好ましい。
【００２２】
前記モジュールケースは多様であるが、好ましくは単位モジュール積層体の外周面を包むフレーム構造にすることができる。
【００２３】
前記構造において、モジュールケースの外面にはデバイスまたはパックケースに電池モジュールを装着するための一つ以上の結合部が形成される構造にすることができる。
【００２４】
好ましくは、前記結合部は上下方向にモジュールケースの外面から突出し、その上下中心軸に沿って湾入型溝が形成されている構造にすることができる。前記溝の形態及び数は特に制限されないものであるのはいうまでもない。
【００２５】
好ましい一例において、前記バスバーアセンブリーは、モジュールケースに装着され、電気絶縁性素材からなる長方形のアセンブリー本体；及び前記長方形本体に前面と後面が開放された状態で装着されている一つ以上のバスバー；を含む構造にすることができる。
【００２６】
一実施形態において、前記バスバーアセンブリーは多数のバスバーを含んでおり、前記バスバーは両側端部がアセンブリー本体に結合される金属板材からすることができ、前記バスバーの一側端部には電圧検出のための検出用端子がさらに含まれている構造にすることができる。
【００２７】
このような構造において、前記バスバーの中で外部入出力端子を構成するバスバーは、一側端部が伸びた状態でアセンブリー本体上に結合されている外部入出力端子部を含む構造にすることができる。
【００２８】
前記外部入出力端子部は、例えば、ボルトによってアセンブリー本体上に結合される構造にすることができるが、特に制限されるものないのは言うまでもない。
【００２９】
場合によっては、前記ボルトがアセンブリー本体を貫通して、例えばアセンブリー本体の貫通孔を通って、モジュールケースにも結合される構造にすることができる。
【００３０】
一方、前記電極端子連結部に対するバスバーの電気的連結は、バスバーの外面に対して熔接を行うことでなされることができる。
【００３１】
前記熔接は、好ましくは、バスバーの外面にレーザーを照射することでなされる方式にすることができる。
【００３２】
モジュールケースに対するバスバーアセンブリーの装着方式は多様にすることができ、例えば、バスバーアセンブリーの両側端部に締結具が突出し、前記モジュールケースには前記締結具に対応する締結溝が形成されている構造にすることができる。
【００３３】
同様に、バスバーアセンブリーに対するカバーの装着方式も多様にすることができる。例えば、カバーの両側端部に締結具が突出し、前記バスバーアセンブリーには前記締結具に対応する締結溝が形成されている構造にすることができる。
【００３４】
また、本発明は、前記電池モジュール二つ以上がパックケースに装着されている電池パックと、前記電池モジュールまたは電池パックを電源として使用するデバイスを提供する。
【００３５】
本発明による電池パックが使用可能なデバイスの好ましい例としては、限定された装着空間を持ち、頻繁な振動及び強い衝撃などに露出される電気自動車、ハイブリッド電気自動車、プラグインハイブリッド電気自動車または電力貯蔵装置などを挙げることができる。
【００３６】
自動車の電源として使われる電池パックは所望の出力及び容量によって組み合わせて製造することができるのは言うまでもない。
【００３７】
電池パックを電源として使用する電気自動車、ハイブリッド電気自動車、プラグインハイブリッド電気自動車などは当業界に知られているので、この明細書では、それについての詳細な説明は省略する。
【図面の簡単な説明】
【００３８】
【図１】本発明の一実施例による電池モジュールの分解斜視図である。
【図２】本発明の一実施例による電池モジュールの斜視図である。
【図３】本発明による電池モジュールが装着された電池パックの斜視図である。
【図４】単位モジュールに装着される電池セルの斜視図である。
【図５】図４の分解模式図である。
【図６】本発明による二つの電池セルが内蔵された単位モジュールの斜視図である。
【図７】本発明による二つの単位モジュールが積層された単位モジュール積層体の斜視図である。
【図８】本発明による電池モジュールの平面図である。
【図９】図７の「 Ａ」の部分の拡大図である。
【発明を実施するための形態】
【００３９】
以下、本発明の実施例による電池パックを添付図面に基づいて説明するが、これは本発明のもっと容易な理解のためのもので、本発明の範疇がこれによって限定されるものではない。
【００４０】
図１には本発明の一実施例による電池モジュールの分解斜視図が模式的に示され、図２には本発明の一実施例による電池モジュールの斜視図が模式的に示され、図３には本発明による電池モジュールが装着された電池パックの斜視図が模式的に示されている。
【００４１】
これら図を参照すれば、電池パック２００は、電池モジュール３００、ベースプレート１１０、前面支持部材１２０と後面支持部材１３０、側面支持部材１４０、及び多数のストラップ部材１５０を含んでいる。
【００４２】
電池モジュール３００はベースプレート１１０の上面に搭載され、前面支持部材１２０と後面支持部材１３０は電池モジュール３００の前面と後面にそれぞれ装着されている。
【００４３】
側面支持部材１４０は電池パック２００の外面をなす電池モジュール３００の一則面と電池パック２００の前後面一部を包む構造で、ベースプレート１１０上に結合されている。
【００４４】
多数のストラップ部材１５０は、電池モジュール３００の位置固定ないし装着のために、電池モジュール３００の上面と両側面を包むとともにベースプレート１１０に結合されている。
【００４５】
ベースプレート１１０においてストラップ部材１５０に対応する位置には、電池モジュール３００を固定するための締結用ネジ２０５が挿入される貫通孔１１５が形成されている。
【００４６】
電池モジュール３００は、単位モジュール積層体６００、モジュールケース３６０、バスバーアセンブリー３５０、及び電気絶縁性のカバー３１０を含んでいる。
【００４７】
電池モジュール３００は多数の電池セル１０を含む単位モジュール５００が上下に積層された構造になっている。このような単位モジュール５００は電気的に連結された多数の電池セル１０の外面がセルカバー５１０で包まれる構造になっている。電池セル１０はセルカバー５１０で包まれて外部に露出されないので、図面には点線の指示線で表示されている。
【００４８】
このような電池セル１０の構造については後に詳細に説明する。
【００４９】
電池モジュール３００のより具体的な内容を説明すれば、単位モジュール積層体６００は、二つ以上の電池セル１０が互いに並列に連結された状態でセルカバー５１０に装着され、電極端子（図示せず）が垂直に折り曲げられた状態でセルカバー５１０の外部に突出している単位モジュール５００が順に積層されて形成されている。
【００５０】
モジュールケース３６０は、単位モジュール積層体６００の容易な装着、及び単位モジュール５００の電極端子（図示せず）が突出した状態で装着できるように、上面及び前面が開放されたフレーム構造になっている。
【００５１】
また、モジュールケース３６０には、バスバーアセンブリー３５０の結合のために、ボルト挿入部３６５及び締結溝３６２が形成されており、モジュールケース３６０の外側部位にはベースプレート１１０の装着のための二つの結合部３６３が形成されている。
【００５２】
具体的に、結合部３６３は上下方向にモジュールケース３６０の外面から突出しており、その上下中心軸に沿って湾入型溝３６１が形成され、その湾入型溝３６１にストラップ部材１５０が挿入されてベースプレート１１０に装着される。湾入型溝３６１の側面には結合部３６３を支持する多数のリブ３６６が形成されている。
【００５３】
バスバーアセンブリー３５０はモジュールケース３６０の一面に装着され、単位モジュール５００の電極端子を直列に連結するためのバスバー３５１が装着されている。
【００５４】
バスバー３５１には一側端部から長さ方向に電圧検出のための検出用端子３５２が形成されており、バスバー３５１の中で外部入出力端子をなすバスバーは、一側端部が長さ方向に伸びた状態でバスバーアセンブリー３５０の本体上に装着される外部入出力端子部３５３を含んでいる。
【００５５】
また、バスバーアセンブリー３５０には、電気絶縁性カバー３１０との結合のために、締結溝３５５が形成され、モジュールケース３６０との結合のために、締結具３５４が形成されている。
【００５６】
このように、モジュールケース３６０の前面にバスバーアセンブリー３５０を装着すれば、バスバー３５１は単位モジュール５００の電極端子に接触することになるので、バスバーアセンブリー３５０の前面からバスバー３５１にレーザーを照射して熔接を容易に行うことができる。
【００５７】
電気絶縁性カバー３１０はバスバーアセンブリー３５０のバスバー３５１が形成された部位を包むように装着される。
【００５８】
また、カバー３１０は内部部品及び外部との絶縁のためにプラスチック材から形成され、バスバーアセンブリー３５０との結合のために、多数の締結具３１１が形成されている。
【００５９】
このような電池モジュール３００のモジュールケース３６０、バスバーアセンブリー３５０及びカバー３１０は、カバー３１０に形成された締結具３１１がバスバーアセンブリー３５０に形成された締結溝３５５に挿入され、バスバーアセンブリー３５０に形成された締結具３５４がモジュールケース３６０に形成された締結溝３６２に挿入されることにより、互いに容易に締結される。
【００６０】
また、外部入出力端子部３５３は、ボルトがモジュールケース３６０に形成されたボルト挿入部３６５に挿入されることで、結合が完成される。
【００６１】
図４には本発明の単位モジュールに装着される一つの例示的な電池セルの斜視図が模式的に示され、図５には図４の分解模式図が示されている。
【００６２】
これら図を参照すれば、板状型電池セル１０は、パウチ型電池ケース２０の内部に、陽極、陰極及びこれらの間に配置される分離膜からなる電極組立体がその陽極２２０及び陰極タブ２３０と電気的に連結される二つの電極端子２２２、２３２が外部に露出されるように密封された構造になっている。
【００６３】
電池ケース１００は電極組立体２１０が装着可能な凹状の収納部１４を含むケース本体１５とその本体１５に一体的に連結されているカバー１３とからなっている。
【００６４】
スタック型またはスタック／折畳型の構造を持つ電極組立体２１０は、多数の陽極タブ２２０と多数の陰極タブ２３０がそれぞれ融着されて電極端子１１、１２に一緒に結合されている。また、ケース本体１５の縁部１４４とカバー１３が熱融着器によって熱融着されるとき、その熱融着器と電極端子２２２、２３２の間にショートが発生することを防止するとともに電極端子２２２、２３２と電池ケース２０の密封性を確保するために、電極端子２２２、２３２の上下面に絶縁フィルム２４０が付着される。
【００６５】
ケース本体１５とカバー１３のそれぞれは、外側樹脂層１６、遮断性金属層１７及び内側樹脂層１８からなっており、内側樹脂層１８はケース本体１５の外面とカバー１３の外面に加わる熱融着器（図示せず）からの熱及び圧力によって密着固定できる。
【００６６】
電解液が含浸された電極組立体２１０を収納部１４に装着した状態でケース本体１５の縁部１４４とカバー１３の接触部位を熱融着させるとシーリング部が形成される。
【００６７】
図６には本発明による二つの電池セルが内蔵された単位モジュールの斜視図が模式的に示され、図７には本発明による二つの単位モジュールが積層された単位モジュール積層体の斜視図が模式的に示され、図８は本発明による電池モジュールの平面図が示され、図９は図７の‘Ａ’部分の拡大図が模式的に示されている。
【００６８】
これら図を参照すれば、単位モジュール５００は、二つの積層された電池セル１０と、外側面全体を包む構造のセルカバー５１０とを含んでいる。
【００６９】
電池モジュール３００は多数の単位モジュール５００が積層された単位モジュール積層体６００を含んでおり、単位モジュール５００は内蔵された電池セル１０の電極端子２２２、２３２が外部に露出された状態で互いに直列に連結される。
【００７０】
単位モジュール５００の電極端子２２２、２３２は互いに並列に連結されるように垂直に折り曲げられて垂直断面‘コ’字形の電極端子連結部５５０がそれぞれ形成され、同一極性を持つ電極端子が同一垂直線上に位置して互いに並列に連結される。
【００７１】
電極端子連結部５５０は、バスバーアセンブリー３５０のバスバー３５１に接触する熔接面が提供されるように、垂直に折り曲げられている。このような熔接面は、バスバー３５１の外側部位で互いに接触した状態でレーザーを照射するレーザー熔接によって電気的に連結されるので、電極端子連結部５５０をモジュールケース３６０に固定させた後にレーザー熔接を遂行することで、電池モジュールの組立てが容易になされる。
【００７２】
単位モジュール５００はバスバー３５１によって互いに連結され、最終に外部入出力端子部３５３に電気的に連結される。
【００７３】
本発明が属した分野で通常の知識を持つ者であれば前記内容に基づいて本発明の範疇内で多様な応用及び変形が可能であろう。
【産業上の利用可能性】
【００７４】
以上説明したように、本発明による電池モジュールは、並列に連結された電池セルを特定の構造及び配列にして電池モジュールを構成し、特定のバスバーアセンブリーを用いて直列に連結することで、全体としてコンパクトで安定し、組立てが容易であるだけでなく、製造過程で必要によって多様な電池セルを選択して構成することができる。
【符号の説明】
【００７５】
１  デバイス
１０  板状型電池セル（電池セル）
１１  電極端子
１２  電極端子
１３  カバー
１４  収納部
１５  ケース本体（本体）
１６  外側樹脂層
１７  遮断性金属層
１８  内側樹脂層
２０  電池ケース（パウチ型電池ケース）
１００  電池ケース
１１０  ベースプレート
１１５  貫通孔
１２０  前面支持部材
１３０  後面支持部材
１４０  側面支持部材
１４４  縁部
１５０  ストラップ部材
２００  電池パック
２０５  締結用ネジ
２１０  電極組立体
２２０  陽極タブ
２２２  電極端子
２３０  陰極タブ
２３２  電極端子
２４０  絶縁フィルム
３００  電池モジュール
３１０  電気絶縁性カバー（カバー）
３１１  締結具
３５０  バスバーアセンブリー
３５１  バスバー
３５２  検出用端子
３５３  外部入出力端子部
３５４  締結具
３５５  締結溝
３６０  モジュールケース
３６１  湾入型溝
３６２  締結溝
３６３  結合部
３６５  ボルト挿入部
３６６  リブ
５００  単位モジュール
５１０  セルカバー
５５０  電極端子連結部
６００  単位モジュール積層体
【図１】
2016509747.tif 000003
【図２】
2016509747.tif 000004
【図３】
2016509747.tif 000005
【図４】
2016509747.tif 000006
【図５】
2016509747.tif 000007
【図６】
2016509747.tif 000008
【図７】
2016509747.tif 000009
【図８】
2016509747.tif 000010
【図９】
2016509747.tif 000011
【国際調査報告】
2016509747.tif 000012
2016509747.tif 000013
2016509747.tif 000014
2016509747.tif 000015